(57)【要約】【課題】クランパの回動角度を小さくしてディスク搬送を行うことができ、装置の小型化を実現する。【解決手段】ベース部１とアームクランパ２の相対側面のいずれか一方の側面には第１カム溝４と第２カム溝５が設けられ、他方の側面には第１カム溝４と第２カム溝５に係合して摺動する第１ピン８と第２ピン９が設けられ、第１カム溝４は、アームクランパ２の移動方向と平行に形成され、第２カム溝５は、アームクランパ２の移動に従って当該アームクランパ２にターンテーブル３側への回動力を付与するように傾斜して形成される。【選択図】図１
2011165287.tif 000002
【特許請求の範囲】
【請求項１】
ディスクが載置されるターンテーブルが搭載されたベース部と、前記ターンテーブル上に位置した際に前記ディスクを前記ターンテーブル側に付勢するクランパが設けられたアームクランパとを備えたディスク装置において、
前記ベース部と前記アームクランパの相対側面のいずれか一方の側面には第１カム溝と第２カム溝が設けられ、他方の側面には前記第１カム溝と前記第２カム溝に係合して摺動する第１ピンと第２ピンが設けられ、
前記第１カム溝は、前記アームクランパの移動方向と平行に形成され、
前記第２カム溝は、前記アームクランパの移動に従って当該アームクランパに前記ターンテーブル側への回動力を付与するように傾斜して形成される
ことを特徴とするディスク装置。
【請求項２】
前記ベース部側面には、前記クランパが前記ターンテーブル上に位置した際に前記ピンに圧着して前記クランパを前記ターンテーブル側に付勢するバネが設けられる
ことを特徴とする請求項１記載のディスク装置。
【発明の詳細な説明】
【技術分野】
【０００１】
この発明は、例えば、ターンテーブルに載置されたディスクをクランパによりターンテーブル側に付勢して保持するディスク装置に関するものである。
【背景技術】
【０００２】
従来のディスク装置は、ディスクが載置されるターンテーブルを搭載したベース部と、ターンテーブル上に位置した際にディスクをターンテーブル側に付勢して保持するクランパを前方側に設けたアームクランパとを備えている。また、アームクランプ後方側の両側面には、ベース部と回動可能に連結された連結部が設けられている。
【０００３】
このディスク装置において、ディスク搬送を行う場合には、アームクランパを連結部を支点に上向きに回動させて、ターンテーブルとクランパ間にディスクを通すための一定距離以上のすき間を確保している。一方、ターンテーブルに載置されたディスクの再生を行う場合には、アームクランパを連結部を支点に下向きに回動させて、クランパによってディスクをターンテーブル側に付勢して保持している。また、ベース部を回動させてディスク搬送、再生を行うように構成したものもある（例えば、特許文献１参照）。
【先行技術文献】
【特許文献】
【０００４】
【特許文献１】特開２００８−０７１４２６号公報
【発明の概要】
【発明が解決しようとする課題】
【０００５】
従来のディスク装置では、上記のようにディスク搬送を行う際には、ターンテーブルとクランパ間にディスクを通すための一定距離以上のすき間を確保する必要がある。しかしながら、従来のディスク装置では、アームクランパまたはベース部を回動させてターンテーブルとクランパ間のすき間を確保しているため、装置の上下方向に回動角度分の高さが必要となり、装置の小型化が困難であるという課題があった。
【０００６】
この発明は、上記のような課題を解決するためになされたもので、クランパの回動角度を小さくしてディスク搬送を行うことができ、装置の小型化を実現することができるディスク装置を提供することを目的としている。
【課題を解決するための手段】
【０００７】
この発明に係るディスク装置は、ベース部とアームクランパの相対側面のいずれか一方の側面には第１カム溝と第２カム溝が設けられ、他方の側面には第１カム溝と第２カム溝に係合して摺動する第１ピンと第２ピンが設けられ、第１カム溝は、アームクランパの移動方向と平行に形成され、第２カム溝は、アームクランパの移動に従って当該アームクランパにターンテーブル側への回動力を付与するように傾斜して形成されるものである。
【発明の効果】
【０００８】
この発明によれば、上記のように構成したので、ベース部とアームクランパの相対側面のいずれか一方の側面には第１カム溝と第２カム溝を設け、他方の側面には第１カム溝と第２カム溝に係合して摺動する第１ピンと第２ピンを設け、第１カム溝は、アームクランパの移動方向と平行に形成し、第２カム溝は、アームクランパの移動に従って当該アームクランパにターンテーブル側への回動力を付与するように傾斜して形成することで、ターンテーブルとクランパ間のすき間を上下方向及び前後方向で確保することができ、クランパの回動角度を小さくしてディスク搬送を行うことができ、装置の薄型化を実現することができる。
【図面の簡単な説明】
【０００９】
【図１】この発明の実施の形態１に係るディスク装置の構成を示す斜視図である。
【図２】この発明の実施の形態１に係るディスク装置の動作を示す（ａ）ディスク搬送待機状態を示す側面図であり、（ｂ）ディスク再生状態を示す側面図である。
【発明を実施するための形態】
【００１０】
以下、この発明の実施の形態について図面を参照しながら詳細に説明する。
実施の形態１．
ディスク装置は、図１に示すように、ベース部１及びアームクランパ２から構成される。
【００１１】
ベース部１は、ディスクが載置されるターンテーブル３が搭載されたものである。このベース部１後方側の両側面には、アームクランパ２の後述する第１ピン８が係合する第１カム溝４が形成されている。また、ベース部１右側面の第１カム溝４よりターンテーブル３側には、アームクランパ２の後述する第２ピン９が係合する第２カム溝５が形成されている。
【００１２】
図２に示すように、第１カム溝４はアームクランパ２の移動方向と平行に形成されている。また、第２カム溝５は、アームクランパ２の移動に従ってこのアームクランパ２にターンテーブル３側への回動力を付与するように、前端部側に向かって低くなるように傾斜して形成されている。
また、ベース部１側面の第２カム溝５前端部付近には、図２（ｂ）に示すように、第２ピン９が第２カム溝５前端部に位置して後述するクランパ７がターンテーブル３上に位置した際に、この第２ピン９に圧着するバネ６が設けられている。このバネ６は、第２ピン９に圧着することによってクランパ７をターンテーブル３側に付勢する。
【００１３】
アームクランパ２は、ターンテーブル３上に位置した際にディスクをターンテーブル３側に付勢して保持するクランパ７が前方側に設けられたものである。このアームクランパ２両側面には、第１カム溝４に係合して摺動する第１ピン８が設けられている。さらに、アームクランパ２右側面には、第２カム溝５に係合して摺動する第２ピン９が設けられている。なお、このアームクランパ２は不図示の駆動部により前後方向にスライドされる。
また、図２（ｂ）に示すように、第２ピン９は、第１ピン８の設置位置に対して低い位置に設置されている。
【００１４】
なお、第１，２カム溝４，５の設置位置や傾斜角度、及び第１，２ピン８，９の設置位置は、第１，２ピン８，９が第１，２カム溝４，５の後端部に位置した際にクランパ７が最大に開いてディスク搬送待機状態となり、第１，２ピン８，９が第１，２カム溝４，５の前端部に位置した際にクランパが閉じディスク再生状態となるように設計されている。
【００１５】
次いで、上記のように構成されたディスク装置の動作について説明する。
まず、ディスク搬送を行う際には、図２（ａ）に示すように、不図示の駆動部によりアームクランパ２を後方向にスライドさせる。この際、第１，２ピン８，９は、それぞれ第１，２カム溝４，５の前端部から後端部側に摺動する。ここで、第２ピン９は第２カム溝５に沿って上斜め方向に摺動するため、アームクランパ２は後方側にスライドしながら上向きに回動してクランパ７を開き、ターンテーブル３とクランパ７間にすき間を確保することができる。
【００１６】
このように、アームクランパ２を後方向にスライドさせながら上向きに回動させることで、ターンテーブル３とクランパ７間のすき間を上下方向だけではなく前後方向にも広げて確保することができる。そのため、従来のディスク装置のようにアームクランパ２を単に上向きに回動させた場合に対して、ターンテーブル３とクランパ７間の一定距離以上のすき間を確保しつつ、クランパ７の回動角度を小さくすることができる。
【００１７】
また、アームクランパ２が後方側にスライドされた際に第２ピン９はバネ６から離れるため、ディスク搬送待機状態ではアームクランパ２に余計な付勢力が加わることはない。
このようにしてターンテーブル３とクランパ７間にすき間を確保することにより、ディスク搬送を行うことができる。
【００１８】
次いで、ターンテーブル３に載置されたディスクの再生を行う際には、図２（ｂ）に示すように、不図示の駆動部によりアームクランパ２を前方向にスライドさせる。この際、第１，２ピン８，９は、それぞれ第１，２カム溝４，５の後端部から前端部側に摺動する。ここで、第２ピン９は第２カム溝５に沿って下斜め方向に摺動するため、アームクランパ２は前方向にスライドしながら下向きに回動してクランパ７を閉じ、クランパ７がターンテーブル３上に位置する。この際、第２カム溝５前端部に位置した第２ピン９にバネ６が圧着するため、クランパ７はディスクをターンテーブル３側に付勢して保持する。
このようにしてターンテーブル３に載置されたディスクをクランパ７によってターンテーブル３側に付勢して保持することにより、ディスク再生を行うことができる。
【００１９】
以上のように、この実施の形態１によれば、ベース部１側面に第１カム溝４と第２カム溝５を設け、アームクランパ２側面には第１カム溝４と第２カム溝５に係合して摺動する第１ピン８と第２ピン９を設け、第１カム溝４は、アームクランパ２の移動方向と平行に形成し、第２カム溝５は、アームクランパ２の移動に従って当該アームクランパ２にターンテーブル３側への回動力を付与するように傾斜して形成するように構成したので、ターンテーブル３とクランパ７間のすき間を上下方向だけではなく前後方向にも広げて確保することができるため、クランパ７の回動角度を小さくしてディスク搬送を行うことができ、装置の薄型化を実現することができる。
【００２０】
また、ベース部１側面の第２カム溝５付近に、第２ピン９が第２カム溝５前端部に位置してクランパ７がターンテーブル３上に位置した際に、第２ピン９と圧着してクランパ７をターンテーブル３側に付勢するバネ６を設けたので、ディスク装置がディスク搬送待機状態の場合にはアームクランパ２に余計な付勢力が加わることはなく、ディスク再生状態の場合にのみアームクランパ２に付勢力を加えることができる。
【００２１】
なお、この実施の形態１に係るディスク装置では、ベース部１側面に第１，２カム溝４，５を形成し、アームクランパ２側面に第１，２カム溝４，５に係合して摺動する第１，２ピン８，９を形成したが、これとは反対に、ベース部１側面に第１ピン８、第２ピン９を設け、アームクランパ２側面に第１ピン８、第２ピン９が係合して摺動する第１カム溝４、第２カム溝５を形成して構成しても、同一の作用効果を得ることができる。
【００２２】
また、この実施の形態１に係るディスク装置では、第２カム溝５を前方側に向かい低くなるように傾斜をつけて形成したが、これに限るものではなく、第１，２カム溝４，５の設置位置や傾斜角度、及び第１，２ピン８，９の設置位置は、第１，２ピン８，９をそれぞれ第１，２カム溝４，５に沿って摺動した際にアームクランパ２がスライドしながら回動してクランパ７の開閉を行えるものであればよく、適宜変更可能である。
【００２３】
また、この実施の形態１に係るディスク装置では、ベース部１の一方の側面にのみ第２カム溝５を形成するように構成したが、ベース部１の両側面に形成してもよい。
【符号の説明】
【００２４】
１  ベース部、２  アームクランパ、３  ターンテーブル、４  第１カム溝、５  第２カム溝、６  バネ、７  クランパ、８  第１ピン、９  第２ピン。
【図１】
2011165287.tif 000003
【図２】
2011165287.tif 000004